(57)【要約】【課題】理美容鋏の梳刃の鋏片との開脚角度を小さくし、毛髪のカット時のスピードを早め、カット作業性を良好にした理美容鋏を提供する。【解決手段】刃部を有する棒刃の鋏片と、複数の梳刃を形成する梳刃の鋏片とを、回動自在に枢着せしめた理美容鋏において、棒刃の鋏片を構成する刃部の刃元を棒刃の鋏片の峰部側方に移動し形成せしめて、梳刃の隙き間の長さを均一に、且長くなるように形成した。また、前記棒刃の鋏片の刃部が、前記棒刃の鋏片を形成する柄部の長手方向に対し、前記梳刃の鋏片の隙き間が均一に、且長くなるように鈍角状に折曲形成している。【選択図】    図１
0003132511.tif 000002
【実用新案登録請求の範囲】
【請求項１】
刃部を有する棒刃の鋏片と、複数の梳刃を形成する梳刃の鋏片とを、回動自在に枢着せしめた理美容鋏において、前記棒刃の鋏片を構成する刃部の刃元を前記棒刃の鋏片の峰部側方に移動し形成せしめて、前記梳刃の隙き間の長さを均一に、且長くなるように形成せしめたことを特徴とする理美容鋏。
【請求項２】
前記棒刃の鋏片の刃部が、前記棒刃の鋏片を形成する柄部の長手方向に対し、前記梳刃の鋏片の隙き間が均一に、且長くなるように鈍角状に折曲形成していることを特徴とする請求項１記載の理美容鋏。
【考案の詳細な説明】
【技術分野】
【０００１】
本考案は、梳鋏の理美容鋏の技術分野に関するものである。
【背景技術】
【０００２】
従来、調髪用梳鋏として、登録第３０３１８４３号登録実用新案公報に記載のものが開示されている。
【０００３】
前記開示の実用新案公報の前記梳鋏を構成するくし歯を並列する梳刃を設けた鋏片２と枢着部３を介して枢着する直刃形の切断刃４を設けた鋏片１の刃先と枢着部３と柄部とを結ぶ長手方向の軸線は、直線状である。
【０００４】
そのため、前記鋏片２は、前記鋏片２を構成するくし歯６の内部に入っている毛髪ａ・・・が直刃形の切断刃４によってカットされる際に、前記切断刃４のカット角度が突出刃部８ａ・・・に対し、約４５度前後の斜め方向からのカットとなるので、くし歯６内に入っている前記毛髪ａを微妙ではあるが移動せしめて切れ味をそぐおそれがあった。
【０００５】
さらに、前記開示の登録実用新案の鋏片２は、前記梳刃６を鋏片１に対し、カット時の開脚角度が大きいので、毛髪ａをカットするまでの所要時間が長くかかる。
【０００６】
また、従来両用理髪鋏として、実開昭６２−５０５５８号公開実用新案公報のものが開示されている。
【０００７】
前記開示の両用理髪鋏を構成する枢着部３によって枢着の一対の鋏片１、２の中、櫛刃６ではなく、刃部４を有する鋏片１の構造は、柄部から刃部４の刃先を結ぶ直線方向の軸線が直線状態である。
【０００８】
そのため、刃部４付き前記鋏片１と櫛刃６付き前記鋏片２とのカット時の開脚角度が大きくなって、前記開示の登録実用新案公報の調髪用梳鋏と同じく、毛髪をカットするための時間がかかるという弊害がある。
【特許文献１】登録第３０３１８４３号実用新案公報
【特許文献２】実開昭６２−５０５５８号公開実用新案公報
【考案の開示】
【考案が解決しようとする課題】
【０００９】
しかるに、本考案が解決しようとする課題は、理美容鋏を構成する棒刃の鋏片の中、刃部の刃元を、峰部側方に移動し形成せしめて、前記梳刃の隙き間の長さを均一に、且長くなるように形成して、前記梳刃の鋏片と棒刃の鋏片との開脚角度を従来の理美容鋏の開脚角度よりも小さく開脚するようにして、毛髪をカットするスピードを早め、カット作業性を著しく高めた。
【００１０】
さらに、本考案は、前記直刃形状の鋏片の形状を、枢着部を基部にして鈍角状に折曲し形成し、前記刃部の肉厚も従来の鋏片と殆んど変らぬ構造にして、毛髪カット時に両鋏片の刃先が開くのを未然に防止した。
【００１１】
そのため、毛髪カットの切れ味を良好にした。
【００１２】
また、本考案は、前記棒刃の鋏片の形状を前記枢着部を基部にして、柄部の長手方向に対し、鈍角状に折曲し形成したので、毛髪が入っている前記梳刃の鋏片の梳刃に対し、稍平行状に前記棒状の鋏片の刃部が当るようにした。
【００１３】
そのために、本考案の理美容鋏は、毛髪が逃げたりしないので、切れ味が極めて良好である。
【課題を解決するための手段】
【００１４】
課題を解決するための手段として、請求項１記載の考案は、刃部を有する棒刃の鋏片と、複数の梳刃を形成する梳刃の鋏片とを、回動自在に枢着せしめた理美容鋏において、前記棒刃の鋏片を構成する刃部の刃元を前記棒刃の鋏片の峰部側方に移動し形成せしめて、前記梳刃の隙き間の長さを均一に、且長くなるように形成せしめたことを特徴とする理美容鋏である。
【００１５】
請求項２記載の考案は、前記棒刃の鋏片の刃部が、前記棒刃の鋏片を形成する柄部の長手方向に対し、前記梳刃の鋏片の隙き間が均一に、且長くなるように鈍角状に折曲形成していることを特徴とする請求項１記載の理美容鋏である。
【考案の効果】
【００１６】
請求項１記載の理美容鋏は、刃部を有する棒刃の鋏片を構成する刃部の刃元を、前記棒刃の鋏片の峰部側方に移動し形成せしめたので、理美容鋏を構成する他方の梳刃の鋏片との開脚角度が、従来の理美容鋏の開脚角度よりも小さくし、毛髪のカット時のスピードを早めると共に、カット作業性を良好にした。
【００１７】
さらに、本考案は、棒刃の鋏片の刃部の肉厚を従来の鋏片と殆んど変らぬ構造にしたので、毛髪カット時に両方の鋏片の刃先が開くことがなく、毛髪のカット作業を阻害しない利点を有している。
【００１８】
また、本考案は、前記棒刃の鋏片の刃部が、鈍角状に折曲し形成して、前記梳刃の鋏片の梳刃に対し、稍平行状に当るようにしたので、前記梳刃の隙き間内に入っている毛髪が移動もしくは逃げたりしない。そのため本考案は、毛髪の切れ味は極めて良好である。
【００１９】
さらに請求項２記載の考案は、前記請求項１記載の考案の効果と同じ効果を有している。
【考案を実施するための最良の形態】
【００２０】
本考案の請求項１及び同２に記載の考案の実施の形態は共通しているので、以下のとおり一括して説明する。
【００２１】
図において、Ａは本考案理美容鋏であり、以下の構成からなる。
【００２２】
ａは理美容鋏Ａを構成する刃部１を有する棒刃の鋏片である。
【００２３】
ｂは前記棒刃の鋏片ａと一対になって枢着部３によって回動自在に取着の梳刃６の鋏片である。
【００２４】
前記棒刃の鋏片ａは、前記枢着部３から刃先部２までの刃部１の形状を、前記刃部１の刃元１ａを峰部４の側方に移動し形成する。そのため、梳刃６の隙き間７の長さが均一にして、且長くなった。
【００２５】
さらに、前記棒刃の鋏片ａの刃部１を、柄部８の長手方向に対し、梳刃６の隙き間７が均一にして、且長くなるように鈍角状に折曲形成する。
【００２６】
また、前記鋏片ｂは、複数の梳刃６を形成する。１０は柄部である。
【００２７】
上記の構成からなる一対の鋏片ａ、ｂを枢着部３を介して回動自在に枢着すると、前記両鋏片ａ、ｂが図１、４、５、６のようになる。
【００２８】
前記の状態から開脚すると、最大限の開脚角度が図２、３のように展開する。
【００２９】
本考案の理美容鋏Ａの構造上の特長が、前記両鋏片ａ、ｂの開脚角度が従来の梳刃を形成する理美容鋏Ｂと著しく相違する点である。
【００３０】
前記のように、両鋏片ａ、ｂの開脚角度が従来の理美容鋏Ｂの両鋏片ｃ、ｄの開脚角度とは著しく開脚角度が小さい。
【００３１】
１０は梳刃６の隙き間７内に入った毛髪である。
【００３２】
さらに、本考案の両鋏ａ、ｂの開脚角度が従来の両鋏片ｃ、ｄの開脚角度よりも開脚角度が小さいとする根拠は、棒刃の鋏片ａの刃部１の刃元１ａが、峰部４の側方に若干移動し形成せしめているからである。
【００３３】
そして、組立てられた両鋏片ａ、ｂの中、一方の鋏片ａが開脚時からカット状態に入ると、図４、５のように、梳刃６には、長さが均一にして、且長い隙き間７が大きく形成され、その中に毛髪９が入り込むことになる。そのため、前記隙き間７からの毛抜けが従来よりも極めて良好となった。
【００３４】
そして、本考案の前記一方の鋏片ａは、図７に図示するように、梳刃６に対し、ｎ、ｎ矢印方向から、即ち稍平行状に切り込むことになる。
【００３５】
そのため、前記毛髪９は、前記梳刃６内において従来の理美容鋏Ｂとは若干異なって、移動せず静止状態となっているので、カットがスムーズである。
【００３６】
しかるに、従来タイプの理美容鋏Ｂの一方の鋏片ｃが他方の鋏片ｄを構成する梳刃に対して、約４５度前後の傾斜角度で進行しカットする。
【００３７】
即ち、図７に図示するように、ｍ、ｍの矢印方向からカットされる。従って毛髪９が若干移動し、カット時に毛髪９の一部が理美容鋏Ｂに引掛る感触がある。
【００３８】
さらに、図１において、ｅは本考案の棒状の鋏片ａの刃部１の形状を示し、ｆは従来タイプの棒状の鋏片ｃの刃部の形状を示すものである。
【図面の簡単な説明】
【００３９】
【図１】本考案理美容鋏の要部を示す一部切欠正面図である。
【００４０】
【図２】本考案理美容鋏の開脚状態を示す正面図である。
【００４１】
【図３】同図２の理美容鋏を転覆せしめた状態を示す図である。
【００４２】
【図４】同図２の状態から閉じた状態の正面図である。
【００４３】
【図５】同図４の状態を転覆せしめた状態を示す図である。
【００４４】
【図６】同図４の理美容鋏の平面図である。
【００４５】
【図７】梳刃に対する一方の鋏片が切り込むときの要部の一部切欠拡大正面図である。
【００４６】
【図８】従来の理美容鋏の正面図である。
【符号の説明】
【００４７】
Ａ      理美容鋏
Ｂ      理美容鋏
ａ      鋏片
ｂ      鋏片
ｃ      鋏片
ｄ      鋏片
１      刃部
１ａ    刃元
２      刃先部
３      枢着部
４      峰部
５      柄部
６      梳刃
７      隙き間
８      柄部
９      毛髪
１０    柄部
【図１】
0003132511.tif 000003
【図２】
0003132511.tif 000004
【図３】
0003132511.tif 000005
【図４】
0003132511.tif 000006
【図５】
0003132511.tif 000007
【図６】
0003132511.tif 000008
【図７】
0003132511.tif 000009
【図８】
0003132511.tif 000010
【手続補正書】
【提出日】平成19年4月3日(2007.4.3)
【手続補正１】
【補正対象書類名】実用新案登録請求の範囲
【補正対象項目名】全文
【補正方法】変更
【補正の内容】
【実用新案登録請求の範囲】
【請求項１】
刃部を有する棒刃の鋏片と、複数の梳刃を形成する梳刃の鋏片とを、回動自在に枢着せしめた理美容鋏において、前記棒刃の鋏片を前記棒刃の鋏片と前記梳刃の鋏片との枢着部から前記棒刃の刃先部までの刃部の形状を、前記梳刃の隙き間の長さを均一に、且長くなるように形成せしめたことを特徴とする理美容鋏。
【請求項２】
前記棒刃の鋏片の刃部が、前記棒刃の鋏片を形成する柄部の長手方向に対し、前記梳刃の鋏片の隙き間が均一に、且長くなるように鈍角状に折曲形成していることを特徴とする請求項１記載の理美容鋏。
【手続補正２】
【補正対象書類名】明細書
【補正対象項目名】全文
【補正方法】変更
【補正の内容】
【考案の詳細な説明】
【技術分野】
【０００１】
本考案は、梳鋏の理美容鋏の技術分野に関するものである。
【背景技術】
【０００２】
従来、調髪用梳鋏として、登録第３０３１８４３号登録実用新案公報に記載のものが開示されている。
【０００３】
前記開示の実用新案公報の前記梳鋏を構成するくし歯を並列する梳刃を設けた鋏片２と枢着部３を介して枢着する直刃形の切断刃４を設けた鋏片１の刃先と枢着部３と柄部とを結ぶ長手方向の軸線は、直線状である。
【０００４】
そのため、前記鋏片２は、前記鋏片２を構成するくし歯６の内部に入っている毛髪ａ・・・が直刃形の切断刃４によってカットされる際に、前記切断刃４のカット角度が突出刃部８ａ・・・に対し、約４５度前後の斜め方向からのカットとなるので、くし歯６内に入っている前記毛髪ａを微妙ではあるが移動せしめて切れ味をそぐおそれがあった。
【０００５】
さらに、前記開示の登録実用新案の鋏片２は、前記梳刃６を鋏片１に対し、カット時の開脚角度が大きいので、毛髪ａをカットするまでの所要時間が長くかかる。
【０００６】
また、従来両用理髪鋏として、実開昭６２−５０５５８号公開実用新案公報のものが開示されている。
【０００７】
前記開示の両用理髪鋏を構成する枢着部３によって枢着の一対の鋏片１、２の中、櫛刃６ではなく、刃部４を有する鋏片１の構造は、柄部から刃部４の刃先を結ぶ直線方向の軸線が直線状態である。
【０００８】
そのため、刃部４付き前記鋏片１と櫛刃６付き前記鋏片２とのカット時の開脚角度が大きくなって、前記開示の登録実用新案公報の調髪用梳鋏と同じく、毛髪をカットするための時間がかかるという弊害がある。
【特許文献１】登録第３０３１８４３号実用新案公報
【特許文献２】実開昭６２−５０５５８号公開実用新案公報
【考案の開示】
【考案が解決しようとする課題】
【０００９】
しかるに、本考案が解決しようとする課題は、理美容鋏を構成する棒刃の鋏片の中、刃部の刃元を、峰部側方に移動し形成せしめて、前記梳刃の隙き間の長さを均一に、且長くなるように形成して、前記梳刃の鋏片と棒刃の鋏片との開脚角度を従来の理美容鋏の開脚角度よりも小さく開脚するようにして、毛髪をカットするスピードを早め、カット作業性を著しく高めた。
【００１０】
さらに、本考案は、前記直刃形状の鋏片の形状を、枢着部を基部にして鈍角状に折曲し形成し、前記刃部の肉厚も従来の鋏片と殆んど変らぬ構造にして、毛髪カット時に両鋏片の刃先が開くのを未然に防止した。
【００１１】
そのため、毛髪カットの切れ味を良好にした。
【００１２】
また、本考案は、前記棒刃の鋏片の形状を前記枢着部を基部にして、柄部の長手方向に対し、鈍角状に折曲し形成したので、毛髪が入っている前記梳刃の鋏片の梳刃に対し、稍平行状に前記棒状の鋏片の刃部が当るようにした。
【００１３】
そのために、本考案の理美容鋏は、毛髪が逃げたりしないので、切れ味が極めて良好である。
【課題を解決するための手段】
【００１４】
課題を解決するための手段として、請求項１記載の考案は、刃部を有する棒刃の鋏片と、複数の梳刃を形成する梳刃の鋏片とを、回動自在に枢着せしめた理美容鋏において、前記棒刃の鋏片を前記棒刃の鋏片と前記梳刃の鋏片との枢着部から前記棒刃の刃先部までの刃部の形状を、前記梳刃の隙き間の長さを均一に、且長くなるように形成せしめたことを特徴とする理美容鋏である。
【００１５】
請求項２記載の考案は、前記棒刃の鋏片の刃部が、前記棒刃の鋏片を形成する柄部の長手方向に対し、前記梳刃の鋏片の隙き間が均一に、且長くなるように鈍角状に折曲形成していることを特徴とする請求項１記載の理美容鋏である。
【考案の効果】
【００１６】
請求項１記載の理美容鋏は、刃部を有する棒刃の鋏片と、複数の梳刃を形成する梳刃の鋏片とを、回動自在に枢着せしめた理美容鋏において、前記棒刃の鋏片を前記棒刃の鋏片と前記梳刃の鋏片との枢着部から前記棒刃の刃先部までの刃部の形状を、前記梳刃の隙き間の長さを均一に、且長くなるように形成せしめたので、理美容鋏を構成する他方の梳刃の鋏片との開脚角度が、従来の理美容鋏の開脚角度よりも小さくし、毛髪のカット時のスピードを早めると共に、カット作業性を良好にした。
【００１７】
さらに、本考案は、棒刃の鋏片の刃部の肉厚を従来の鋏片と殆んど変らぬ構造にしたので、毛髪カット時に両方の鋏片の刃先が開くことがなく、毛髪のカット作業を阻害しない利点を有している。
【００１８】
また、本考案は、前記棒刃の鋏片の刃部が、鈍角状に折曲し形成して、前記梳刃の鋏片の梳刃に対し、稍平行状に当るようにしたので、前記梳刃の隙き間内に入っている毛髪が移動もしくは逃げたりしない。そのため本考案は、毛髪の切れ味は極めて良好である。
【００１９】
さらに請求項２記載の考案は、前記請求項１記載の考案の効果と同じ効果を有している。
【考案を実施するための最良の形態】
【００２０】
本考案の請求項１及び同２に記載の考案の実施の形態は共通しているので、以下のとおり一括して説明する。
【００２１】
図において、Ａは本考案理美容鋏であり、以下の構成からなる。
【００２２】
ａは理美容鋏Ａを構成する刃部１を有する棒刃の鋏片である。
【００２３】
ｂは前記棒刃の鋏片ａと一対になって枢着部３によって回動自在に取着の梳刃６の鋏片である。
【００２４】
前記棒刃の鋏片ａは、前記枢着部３から刃先部２までの刃部１の形状を、前記刃部１の刃元１ａを峰部４の側方に移動し形成する。そのため、梳刃６の隙き間７の長さが均一にして、且長くなった。
【００２５】
さらに、前記棒刃の鋏片ａの刃部１を、柄部８の長手方向に対し、梳刃６の隙き間７が均一にして、且長くなるように鈍角状に折曲形成する。
【００２６】
また、前記鋏片ｂは、複数の梳刃６を形成する。１０は柄部である。
【００２７】
上記の構成からなる一対の鋏片ａ、ｂを枢着部３を介して回動自在に枢着すると、前記両鋏片ａ、ｂが図１、４、５、６のようになる。
【００２８】
前記の状態から開脚すると、最大限の開脚角度が図２、３のように展開する。
【００２９】
本考案の理美容鋏Ａの構造上の特長が、前記両鋏片ａ、ｂの開脚角度が従来の梳刃を形成する理美容鋏Ｂと著しく相違する点である。
【００３０】
前記のように、両鋏片ａ、ｂの開脚角度が従来の理美容鋏Ｂの両鋏片ｃ、ｄの開脚角度とは著しく開脚角度が小さい。
【００３１】
１０は梳刃６の隙き間７内に入った毛髪である。
【００３２】
さらに、本考案の両鋏ａ、ｂの開脚角度が従来の両鋏片ｃ、ｄの開脚角度よりも開脚角度が小さいとする根拠は、棒刃の鋏片ａの刃部１の刃元１ａが、峰部４の側方に若干移動し形成せしめているからである。
【００３３】
そして、組立てられた両鋏片ａ、ｂの中、一方の鋏片ａが開脚時からカット状態に入ると、図４、５のように、梳刃６には、長さが均一にして、且長い隙き間７が大きく形成され、その中に毛髪９が入り込むことになる。そのため、前記隙き間７からの毛抜けが従来よりも極めて良好となった。
【００３４】
そして、本考案の前記一方の鋏片ａは、図７に図示するように、梳刃６に対し、ｎ、ｎ矢印方向から、即ち稍平行状に切り込むことになる。
【００３５】
そのため、前記毛髪９は、前記梳刃６内において従来の理美容鋏Ｂとは若干異なって、移動せず静止状態となっているので、カットがスムーズである。
【００３６】
しかるに、従来タイプの理美容鋏Ｂの一方の鋏片ｃが他方の鋏片ｄを構成する梳刃に対して、約４５度前後の傾斜角度で進行しカットする。
【００３７】
即ち、図７に図示するように、ｍ、ｍの矢印方向からカットされる。従って毛髪９が若干移動し、カット時に毛髪９の一部が理美容鋏Ｂに引掛る感触がある。
【００３８】
さらに、図１において、ｅは本考案の棒状の鋏片ａの刃部１の形状を示し、ｆは従来タイプの棒状の鋏片ｃの刃部の形状を示すものである。
【図面の簡単な説明】
【００３９】
【図１】本考案理美容鋏の要部を示す一部切欠正面図である。
【００４０】
【図２】本考案理美容鋏の開脚状態を示す正面図である。
【００４１】
【図３】同図２の理美容鋏を転覆せしめた状態を示す図である。
【００４２】
【図４】同図２の状態から閉じた状態の正面図である。
【００４３】
【図５】同図４の状態を転覆せしめた状態を示す図である。
【００４４】
【図６】同図４の理美容鋏の平面図である。
【００４５】
【図７】梳刃に対する一方の鋏片が切り込むときの要部の一部切欠拡大正面図である。
【００４６】
【図８】従来の理美容鋏の正面図である。
【符号の説明】
【００４７】
Ａ      理美容鋏
Ｂ      理美容鋏
ａ      鋏片
ｂ      鋏片
ｃ      鋏片
ｄ      鋏片
１      刃部
１ａ    刃元
２      刃先部
３      枢着部
４      峰部
５      柄部
６      梳刃
７      隙き間
８      柄部
９      毛髪
１０    柄部
【手続補正３】
【補正対象書類名】図面
【補正対象項目名】図１
【補正方法】変更
【補正の内容】
【図１】
0003132511.tif 000011
【手続補正４】
【補正対象書類名】図面
【補正対象項目名】図２
【補正方法】変更
【補正の内容】
【図２】
0003132511.tif 000012
【手続補正５】
【補正対象書類名】図面
【補正対象項目名】図３
【補正方法】変更
【補正の内容】
【図３】
0003132511.tif 000013
【手続補正６】
【補正対象書類名】図面
【補正対象項目名】図４
【補正方法】変更
【補正の内容】
【図４】
0003132511.tif 000014
【手続補正７】
【補正対象書類名】図面
【補正対象項目名】図５
【補正方法】変更
【補正の内容】
【図５】
0003132511.tif 000015
【手続補正８】
【補正対象書類名】図面
【補正対象項目名】図６
【補正方法】変更
【補正の内容】
【図６】
0003132511.tif 000016